(57)【要約】  支持基材である不織布に対して水性ゲルの染み出しを防止することができる貼付剤の製造方法を提供する。  貼付剤の製造方法は、不織布からなる支持基材（２）、支持基材（２）の一方面に積層された水性ゲル（３）、及び水性ゲル（３）を覆う剥離フィルム（４）を備えた貼付剤（１）が少なくとも一方向に複数連続する貼付剤シート（１０）を、前記一方向に並ぶ貼付剤（１）の境界部分で切断する切断工程を含み、切断工程では、超音波振動装置（９Ａ，９Ｂ）及び切断装置（８Ａ，８Ｂ）の間で貼付剤シート（１０）を挟持して、超音波振動装置（９Ａ，９Ｂ）により超音波振動を作用させながら切断装置（８Ａ，８Ｂ）により貼付剤シート（１０）の前記境界部分を切断する。
2019230926.tif 000002
【特許請求の範囲】
【請求項１】
不織布からなる支持基材、前記支持基材の一方面に積層された水性ゲル、及び前記水性ゲルを覆う剥離フィルムを備えた貼付剤が少なくとも一方向に複数連続する貼付剤シートを、前記一方向に並ぶ前記貼付剤の境界部分で切断する切断工程を含み、  前記切断工程では、超音波振動装置及び切断装置の間で前記貼付剤シートを挟持して、前記超音波振動装置により超音波振動を作用させながら前記切断装置により前記貼付剤シートの前記境界部分を切断する、貼付剤の製造方法。
【請求項２】
前記超音波振動装置は、前記貼付剤シートと当接するホーンを備え、  前記切断工程は、前記ホーンの前記貼付剤シートに対する当接面上で前記切断装置が前記貼付剤シートの前記境界部分を切断する、請求項１に記載の貼付剤の製造方法。
【請求項３】
前記貼付剤シートの前記剥離フィルム側に前記超音波振動装置が配置されるとともに、前記支持基材側に前記切断装置が配置され、  前記切断工程では、前記貼付剤シートの前記境界部分を切断しながら前記境界部分で前記支持基材及び前記剥離フィルムを接合する、請求項１又は２に記載の貼付剤の製造方法。
【請求項４】
前記不織布がポリエチレンテレフタレート樹脂繊維からなり、前記剥離フィルムがポリオレフィン系樹脂からなる、請求項１〜３のいずれか一項に記載の貼付剤の製造方法。
【請求項５】
前記水性ゲルの水分含有量が６０重量％以上９５重量％以下である、請求項１〜４のいずれか一項に記載の貼付剤の製造方法。
【請求項６】
前記切断工程の前に、  基材供給ロールの外周面に幾重に巻き付けられた長尺の支持基材を巻き出して搬送する基材搬送工程と、  搬送される前記長尺の支持基材の一方面に前記水性ゲルを塗布する塗布工程と、  フィルム供給ロールの外周面に幾重に巻き付けられた長尺の剥離フィルムを巻き出して前記長尺の支持基材の前記水性ゲル上に重ね合わせることにより前記貼付剤シートとするシート形成工程と、を含む、請求項１〜５のいずれか一項に記載の貼付剤の製造方法。 
【発明の詳細な説明】
【技術分野】
【０００１】  本発明は、人の皮膚に貼り付けて使用される貼付剤の製造方法に関する。
【背景技術】
【０００２】  この種の貼付剤として、例えば、発熱時、頭痛時、歯痛時、炎症時等の患部の冷却、顔等の火照りの冷却、またはスポーツ後の筋肉のクールダウン等のために、パップ剤や冷却剤等が従来から使用されている。従来の貼付剤１００は、図７に示すように、支持基材１０１上に水性ゲル１０２が積層されるとともに水性ゲル１０２を剥離フィルム１０３で覆った構造のものが一般に知られている。【０００３】  この従来の貼付剤１００は、例えば特許文献１に示されるように、長尺の支持基材上に水性ゲルを塗布した後にその表面に長尺の剥離フィルムを重ね合わせた帯状の貼付剤シートを、切断刃により所定のサイズに切断することで製造される。特許文献１では、貼付剤シートを切断刃により個々の所定サイズの貼付剤に切断する前に、貼付剤シートの切断位置をプレス加工することにより当該切断位置の水性ゲルを押し出して排除する筋付けを行っている。
【先行技術文献】
【特許文献】
【０００４】
【特許文献１】特許第４２４５３４３公報
【発明の概要】
【発明が解決しようとする課題】
【０００５】  しかしながら、特許文献１に記載の方法では、プレス加工による筋付けの際に、支持基材に水性ゲルが押し付けられるので、支持基材が不織布である場合には、不織布に水性ゲルが滲んで不織布の裏面に染み出るという問題がある。【０００６】  本発明は、上記課題を解決するためになされたものであり、支持基材である不織布に対して水性ゲルの染み出しを防止することができる貼付剤の製造方法を提供することを目的とする。
【課題を解決するための手段】
【０００７】  本発明の貼付剤の製造方法は、不織布からなる支持基材、前記支持基材の一方面に積層された水性ゲル、及び前記水性ゲルを覆う剥離フィルムを備えた貼付剤が少なくとも一方向に複数連続する貼付剤シートを、前記一方向に並ぶ前記貼付剤の境界部分で切断する切断工程を含み、前記切断工程では、超音波振動装置及び切断装置の間で前記貼付剤シートを挟持して、前記超音波振動装置により超音波振動を作用させながら前記切断装置により前記貼付剤シートの前記境界部分を切断することを特徴とする。【０００８】  本発明の貼付剤の製造方法は、前記超音波振動装置は、前記貼付剤シートと当接するホーンを備え、前記切断工程は、前記ホーンの前記貼付剤シートに対する当接面上で前記切断装置が前記貼付剤シートの前記境界部分を切断することが好ましい。【０００９】  また、本発明の貼付剤の製造方法は、前記貼付剤シートの前記剥離フィルム側に前記超音波振動装置が配置されるとともに、前記支持基材側に前記切断装置が配置され、前記切断工程では、前記貼付剤シートの前記境界部分を切断しながら前記境界部分で前記支持基材及び前記剥離フィルムを接合することが好ましい。【００１０】  また、本発明の貼付剤の製造方法は、前記不織布がポリエチレンテレフタレート樹脂繊維からなり、前記剥離フィルムがポリオレフィン系樹脂からなることが好ましい。【００１１】  また、本発明の貼付剤の製造方法は、前記水性ゲルの水分含有量が６０重量％以上９５重量％以下であることが好ましい。【００１２】  また、本発明の貼付剤の製造方法は、前記切断工程の前に、基材供給ロールの外周面に幾重に巻き付けられた長尺の支持基材を巻き出して搬送する基材搬送工程と、搬送される前記長尺の支持基材の一方面に前記水性ゲルを塗布する塗布工程と、フィルム供給ロールの外周面に幾重に巻き付けられた長尺の剥離フィルムを巻き出して前記長尺の支持基材の前記水性ゲル上に重ね合わせることにより前記貼付剤シートとするシート形成工程と、を含むことが好ましい。
【発明の効果】
【００１３】  本発明の貼付剤の製造方法によれば、超音波振動装置及び切断装置により貼付剤シートを挟みこんだ状態で、超音波振動装置により超音波振動を作用させながら切断装置により貼付剤シートを切断するので、貼付剤シートの切断位置の水性ゲルを押し出して排除する筋付けを予め行わなくても、貼付剤シートを高精度に切断して切断面の綺麗な貼付剤を製造することができる。よって、支持基材である不織布に水性ゲルが滲んで不織布の裏面に染み出ることを防止することができる。
【図面の簡単な説明】
【００１４】
【図１】本実施形態の製造方法の概略構成図である。
【図２】貼付剤シートの一部分の平面図である。
【図３】第１切断装置による切断工程の概略構成図である。
【図４】回転刃及び切断刃の刃先の概略構成図である。
【図５】本実施形態の製造方法により製造された貼付剤の平面図である。
【図６】図５のＡ−Ａ断面を拡大して示す縦断面図である。
【図７】従来例の貼付剤の縦断面図である。
【発明を実施するための形態】
【００１５】  以下、本発明の実施形態について添付図面を参照して説明する。図１は、本発明の一実施形態に係る貼付剤の製造方法の概略構成を示している。なお、本実施形態の貼付剤の製造方法により製造される貼付剤は、人の皮膚に貼り付けて使用されるものであり、例えば発熱時、頭痛時、歯痛時、炎症時等の患部の冷却、顔等の火照りの冷却、またはスポーツ後の筋肉のクールダウン等のために用いられるシート状の冷却剤を例示することができる。図５及び図６に示すように、貼付剤１は、支持基材２と、水性ゲル３と、剥離フィルム４とを少なくとも備え、これらが積層された層構造を有している。貼付剤１は、使用時には、剥離フィルム４を支持基材２から剥がし、露出した水性ゲル３を皮膚の冷却対象部位に直接あてることで、水性ゲル３が有する粘着性により使用者の皮膚に貼り付けられる。これにより、水性ゲル３に含まれた水分が時間の経過に伴い蒸発し、その際に奪われる気化熱で水性ゲル３の温度が低下するため、水性ゲル３に接する皮膚が冷却される。
【００１６】  以下、図１〜図３に基づいて、本実施形態の貼付剤の製造方法の各工程について順に説明する。なお、各図において貼付剤１や貼付剤シート１０の各構成部材の厚みは、理解が容易なように誇張して描いてあることに留意されたい。
【００１７】  本実施形態の貼付剤の製造方法は、長尺の支持基材２０を搬送する基材搬送工程と、搬送される長尺の支持基材２０の一方面に水性ゲル３を塗布する塗布工程と、長尺の剥離フィルム４０を長尺の支持基材２０の水性ゲル３上に重ね合わせることにより貼付剤シート１０とするシート形成工程と、貼付剤シート１０を個々の貼付剤１に切断する切断工程とを含んでいる。各工程には、各工程における処理を実施するための処理装置が設けられている。
【００１８】  まず、基材搬送工程では、基材供給ロール１１の外周面に幾重に巻き付けられた長尺の支持基材２０を基材供給ロール１１から巻き出してその長手方向を搬送方向として支持ロール１２まで搬送する。基材供給ロール１１は、ロール状に巻き回された長尺の支持基材２０を支持している。
【００１９】  長尺の支持基材２０は、不織布からなる。不織布に使用される繊維としては、特に限定されるものではなく、綿、麻、羊毛等の天然繊維；レーヨン、アセテート等のセルロース系繊維；ナイロン、ビニロン、スチロール、ポリプロピレン、ポリエチレン、ポリエチレンテレフタレート、アクリル等の合成樹脂繊維等を例示することができるが、その中でも、ポリエチレンテレフタレート樹脂繊維を好ましく挙げることができる。
【００２０】  長尺の支持基材２０の厚みは、特に限定されるものではないが、製造される貼付剤１の使用感、貼付部位への馴染み易さ等の観点から、０．１ｍｍ以上３．０ｍｍ以下であることが好ましく、０．５ｍｍ以上２．０ｍｍ以下であることがより好ましい。
【００２１】  長尺の支持基材２０の幅（長手方向と直交する方向の長さ）は、特に限定されるものではないが、個々の貼付剤１を幅方向に複数形成できる大きさであることが好ましい。
【００２２】  次に、塗布工程では、搬送される長尺の支持基材２０の一方面に塗布装置６により水性ゲル３を塗布して積層させる。塗布装置６は、水性ゲル３を貯留するタンク１３と、タンク１３から水性ゲル３を取り出して長尺の支持基材２０に塗布する塗布ロール１４と、長尺の支持基材２０を塗布ロール１４との間で挟持する支持ロール１２とで構成されている。塗布ロール１４は、外周面の一部分がタンク１３内の水性ゲル３に浸漬しており、矢印の方向に回転することによって、タンク１３内の水性ゲル３を外周面に付着させることにより水性ゲル３をタンク１３から取り出す。そして、塗布ロール１４は、外周面に付着させた水性ゲル３を、支持ロール１２に支持された長尺の支持基材２０に一方面に塗布する。
【００２３】  水性ゲル３は、抱水性、放湿性、自己保形性、粘着性等を有する。「抱水性」とは、内部に水を安定的に含む性質を意味するが、より好ましくはさらに圧縮しても含有水分を滲出しない性質を意味する。また「自己保形性」とは、流動性や崩壊性を顕著には生じず形状を保持している性質を意味する。
【００２４】  水を含んでかかる性質を奏し得る成分としては、一般にゲル化剤として用いられる天然高分子多糖類を例示することができる。具体的には、カラギーナン、アルギン酸、アルギン酸プロピレングリコールエステル、タラガム、ローカストビーンガム、グルコマンナン、キサンタンガム、ジェランガム、ペクチン、プルラン、グァーガム、サイリウムシードガム、アルギン酸ナトリウム、マンナン、ゼラチン、寒天等の天然ガム類を例示することができる。これらは単独若しくは２種以上の組み合わせて用いることができる。好ましくはグルコマンナン、ローカストビーンガムを例示することができる。 
【００２５】  ゲル化剤としては、上述した天然高分子多糖類以外に、ポリアクリル酸、ポリメタアクリル酸、ポリアクリル酸の塩、ポリメタアクリル酸の塩等を例示することができる。これらは単独若しくは２種以上の組み合わせて用いることができる。
【００２６】  水性ゲル３は、その他の成分として、多価アルコール、界面活性剤、防腐剤、保存剤、安定剤、香料、着色料、ｐＨ調整剤、リモネン、カンフル、ハッカ油又はｌ−メントール等の清涼化剤、保湿剤、刺激剤、除菌剤、抗菌剤、粘着付与剤、保型剤、増粘剤等、公知の添加剤を含有していてもよい。
【００２７】  水性ゲル３は、所望の冷却力を持続的に発揮するために、十分な量の水分を含んでいることが好ましく、水性ゲル３の水分含有量としては、水性ゲル３を構成する組成物中、６０重量％以上であることが好ましく、７０重量％以上であることがより好ましい。また、水性ゲル３の水分含有量の上限は、自己保形性の観点から、９５重量％以下であることが好ましく、９０重量％以下であることがより好ましい。
【００２８】  水性ゲル３の厚みは、特に限定されるものではないが、冷却力、皮膚に貼り付けた時の感触、皮膚に対する貼り付け状態の維持等の観点から、適度に大きいことが好ましい。例えば、製造後の貼付剤１において、支持基材２の中心位置における水性ゲル３の厚みＤＣが０．１ｍｍ以上２０ｍｍ以下であることが好ましく、１．０ｍｍ以上１０ｍｍ以下であることがより好ましい。また、水性ゲル３の厚みは、支持基材２の全域において均一あるいはほぼ均一であることが好ましく、中央部分における水性ゲル３の厚みと外周縁部分における水性ゲル３の厚みとで大きな差がないことが好ましい。例えば、支持基材２の中心位置における水性ゲル３の厚みＤＣに対する支持基材２の接合部５より１．０ｍｍ内側位置の水性ゲル３の厚みＤＥの比ＤＥ／ＤＣが０．１以上２．０以下であることが好ましく、０．３以上１．２以下であることがより好ましく、０．５以上１．０以下であることがさらに好ましい。なお、水性ゲル３の厚みは、ＪＩＳ  Ｌ１９１３：２０１０の「６．１  厚さ（ＩＳＯ法）」に記載されている方法を用いて計測することができる。
【００２９】  なお、水性ゲル３の厚みは、必ずしも支持基材２の全域において均一あるいはほぼ均一である必要はなく、支持基材２の外周縁に向かうに連れて徐々に小さくなる又は徐々に大きくなる、あるいは、支持基材２の外周縁に近い部分だけが外周縁に向かうに連れて徐々に小さくなる又は徐々に大きくなっていてもよい。
【００３０】  次に、シート形成工程では、フィルム供給ロール１５の外周面に幾重に巻き付けられた長尺の剥離フィルム４０を巻き出してその長手方向を搬送方向として貼合ロール１６まで搬送する。フィルム供給ロール１５は、ロール状に巻き回された長尺の剥離フィルム４０を支持している。そして、搬送される長尺の剥離フィルム４０を、貼合装置７により水性ゲル３が積層された長尺の支持基材２０と貼り合わせて貼付剤シート１０とする。貼合装置７は、支持ロール１２と貼合ロール１６とで構成されていて、長尺の支持基材２０の水性ゲル３上に長尺の剥離フィルム４０を重ね合わせた状態で両ロール１２，１６の間を通過させることで、長尺の支持基材２０に積層された水性ゲル３の厚みを所定の厚みに調整したうえで、貼付剤シート１０を形成する。形成された貼付剤シート１０は、搬送ロール１７、さらにベルトコンベヤ等の搬送コンベヤ１８により次工程の切断装置８まで搬送される。
【００３１】  長尺の剥離フィルム４０は、水性ゲル３を被覆できるものであれば、その素材は特に限定されるものではなく、ポリプロピレン、ポリエチレン、ポリエステル、ナイロン、塩化ビニル、ポリエチレンテレフタレート等の合成樹脂を例示することができるが、その中でも、ポリプロピレンやポリエチレン等のポリオレフィン系樹脂を好ましく挙げることができる。
【００３２】  長尺の剥離フィルム４０の厚みは、特に限定されるものではなく、例えば０．０２ｍｍ以上０．３ｍｍ以下とすることができ、より好ましくは０．０３ｍｍ以上０．２ｍｍ以下とすることができる。
【００３３】  長尺の剥離フィルム４０の幅（長手方向と直交する方向の長さ）は、特に限定されるものではないが、長尺の支持基材２０と同じく、個々の貼付剤１を幅方向に複数形成できる大きさであることが好ましい。
【００３４】  次に、切断工程では、搬送コンベヤ１８により搬送される貼付剤シート１０を切断装置８により切断して複数の貼付剤１に分断する。本実施形態では、貼付剤シート１０は、図２に示すように、貼付剤１が少なくとも一方向（長手方向）に複数連続するとともに前記一方向と直交する他方向（幅方向）にも複数連続したものであることから、貼付剤シート１０を前記他方向（幅方向）に並ぶ貼付剤１の境界部分（切断ラインＬ１）で切断した後、貼付剤シート１０を前記一方向（長手方向）に並ぶ貼付剤１の境界部分（切断ラインＬ２）で切断することで、個々の貼付剤１に分断している。
【００３５】  そのため、本実施形態の切断装置８は、貼付剤シート１０を前記他方向（幅方向）に並ぶ貼付剤１の境界部分（切断ラインＬ１）で切断する第１切断装置８Ａと、貼付剤シート１０を前記一方向（長手方向）に並ぶ貼付剤１の境界部分（切断ラインＬ２）で切断する第２切断装置８Ｂとを備えている。第１切断装置８Ａ及び第２切断装置８Ｂは、貼付剤シート１０に対して、剥離フィルム４０側及び支持基材２０側のいずれか一方側に配置される。本実施形態では、第１切断装置８Ａ及び第２切断装置８Ｂは、貼付剤シート１０に対して支持基材２０側に配置されている。
【００３６】  第１切断装置８Ａは、例えば図３に示すように、貼付剤シート１０の幅方向に間隔をあけて設けられた複数の回転刃８０と、各回転刃８０を回転可能とする回転駆動機構（図示せず）とを備えている。各回転刃８０は、円盤状でかつ刃先が断面視略Ｖ字状を呈しており、刃先が搬送される貼付剤シート１０に当接又は近接するように配置されている。また、各回転刃８０は、貼付剤１よりも幅広の貼付剤シート１０に対して長手方向に延びる互いに平行な複数の切断ラインＬ１に沿って刃先が当たるように配置されており、各切断ラインＬ１で幅広の貼付剤シート１０を切断することで、貼付剤１と同じ幅に分断する。
【００３７】  第２切断装置８Ｂは、刃先が断面視略Ｖ字状を呈する切断刃８１を備えている。切断刃８１は、刃先が搬送される貼付剤シート１０に当接又は近接するように配置されるとともに、刃先が貼付剤１０の幅方向に沿うように配置されている。貼付剤１よりも長尺の貼付剤シート１０に対して長手方向に沿って所定間隔のあいた各切断ラインＬ２で貼付剤シート１０を切断刃８１により順次切断することで、複数の貼付剤１に分断する。
【００３８】  図１に戻って、この切断工程では、貼付剤シート１０を切断装置８と超音波振動装置９との間で挟持し、超音波振動装置９により貼付剤シート１０に超音波振動を作用させながら切断装置８により貼付剤シート１０を切断している。
【００３９】  本実施形態では、超音波振動装置９は、切断装置８の第１切断装置８Ａ及び第２切断装置８Ｂにそれぞれ対応して、貼付剤シート１０を前記他方向（幅方向）に並ぶ貼付剤１の境界部分（切断ラインＬ１）で支持基材２０及び剥離フィルム４０を接合する第１超音波振動装置９Ａと、貼付剤シート１０を前記一方向（長手方向）に並ぶ貼付剤１の境界部分（切断ラインＬ２）で支持基材２０及び剥離フィルム４０を接合する第２超音波振動装置９Ｂとを備えている。第１超音波振動装置９Ａ及び第２超音波振動装置９Ｂは、貼付剤シート１０に対して剥離フィルム４０側に配置されている。
【００４０】  第１超音波振動装置９Ａ及び第２超音波振動装置９Ｂは、それぞれ、超音波発信部として貼付剤シート１０に対する当接面９０Ａ，９１Ａを有するホーン９０，９１を備えており、発振器（図示せず）から供給される交流電圧によりホーン９０，９１が高速で振動する。第１超音波振動装置９Ａ及び第２超音波振動装置９Ｂは、各ホーン９０，９１が貼付剤シート１０を挟んで回転刃８０及び切断刃８１と対向するように配置されている。また、第１超音波振動装置９Ａ及び第２超音波振動装置９Ｂは、それぞれ第１移動機構（図示せず）及び第２移動機構（図示せず）により、貼付剤シート１０に対して接近及び離反する方向に移動可能であり、貼付剤シート１０に対して接近した際に各ホーン９０，９１の当接面９０Ａ，９１Ａが各切断ラインＬ１，Ｌ２に沿って貼付剤シート１０に当接することで、各ホーン９０，９１と回転刃８０及び切断刃８１との間で貼付剤シート１０を挟持する。このとき、各ホーン９０，９１によって、貼付剤シート１０の剥離フィルム４０には各切断ラインＬ１，Ｌ２に沿って超音波振動が作用する。これにより、貼付剤シート１０は、各切断ラインＬ１，Ｌ２に沿って剥離フィルム４０が支持基材２０に溶着し、各貼付材１の外周縁となる部分において剥離フィルム４０及び支持基材２０が筋状に接合される。
【００４１】  以上のように、各ホーン９０，９１と回転刃８０及び切断刃８１との間で貼付剤シート１０を挟持し、各ホーン９０，９１で貼付剤シート１０に超音波振動を作用させながら、回転刃８０及び切断刃８１を各ホーン９０，９１の当接面９０Ａ，９１Ａに押し当てて貼付剤シート１０を各切断ラインＬ１，Ｌ２に沿って切断することで、切断時に水性ゲル３が回転刃８０及び切断刃８１に付着等することがないため、貼付剤シート１０を高精度に切断することができる。
【００４２】  また、貼付剤シート１０の剥離フィルム４０に各切断ラインＬ１，Ｌ２に沿って各ホーン９０，９１により超音波振動を作用させることで、貼付剤シート１０の各切断ラインＬ１，Ｌ２においては、切断と同時に、剥離フィルム４０が支持基材２０に溶着して剥離フィルム４０及び支持基材２０が筋状に接合される。そのため、切断後の貼付剤１について、図５及び図６に示すように、支持基材２及び剥離フィルム４の外周縁を全周にわたって接合することができ、水性ゲル３を支持基材２及び剥離フィルム４の内部に封入することができる。なお、支持基材２０及び剥離フィルム４０の切断及び接合を良好に行うためには、支持基材２０がポリエチレンテレフタレート樹脂繊維を素材とする不織布からなり、剥離フィルム４０がポリプロピレンやポリエチレン等のポリオレフィン系樹脂からなることが好ましい。
【００４３】  回転刃８０及び切断刃８１の刃先は、図４に示すように、刃先角度θが小さく先が鋭いと、貼付剤シート１０を切断し易くなる一方で、製造される貼付剤１の支持基材２及び剥離フィルム４の接合が弱くなる。また、刃先角度θが大きく先が鈍いと、製造される貼付剤１の支持基材２及び剥離フィルム４の接合が強くなる一方で、貼付剤シート１０を切断し難くなる。そのため、貼付剤シート１０の切断し易さと支持基材２及び剥離フィルム４の接合強度との両立のために、刃先角度θは適宜設定される。
【００４４】  図１に戻って、最後に、切断工程により貼付剤シート１０から個々に切断された貼付剤１は、鉛直方向の下方位置に配置された搬送コンベア１９により次工程に搬送される。次工程では、貼付剤１が非通気性の収納袋内に手作業又は機械を用いて袋詰めされ、そして、その後の工程で水性ゲル３を固めるための処理が行われることで、貼付剤１が製造される。
【００４５】  上述した本実施形態の貼付剤の製造方法によると、少なくとも一方向に貼付剤１が複数連続する貼付剤シート１０を、前記一方向に並ぶ貼付剤１の境界部分で切断することで、貼付剤１を効率よく製造することができる。そして、この貼付剤シート１０の切断時に、超音波振動装置９Ａ，９Ｂ及び切断装置８Ａ，８Ｂの間で貼付剤シート１０を挟持した状態で、超音波振動装置９Ａ，９Ｂにより貼付剤シート１０に超音波振動を作用させながら切断装置８Ａ，８Ｂにより貼付剤シート１０を切断するので、従来技術のように、貼付剤シート１０の切断位置の水性ゲル３を押し出して排除する筋付けを予め行わなくても、貼付剤シート１０を高精度に切断して切断面の綺麗な貼付剤１を製造することができる。よって、製造された貼付剤１において、支持基材２である不織布に水性ゲル３が滲んで不織布の裏面に染み出ることを防止することができ、その結果、目付けの低い不織布を支持基材として採用することも可能となり、製造コストを低減することができる。そのうえ、貼付剤シート１０に対して切断前に筋付けを行わなくてもよいので、プレス加工を行うための装置の専有スペースが不要となり、設備の専有面積や設備コストを低減できるうえ、工程時間の短縮によって貼付剤１の生産効率を向上させることができる。
【００４６】  また、本実施形態の貼付剤の製造方法によると、貼付剤シート１０の切断時に、超音波振動装置９Ａ，９Ｂのホーン９０，９１を剥離フィルム４０に当接させて剥離フィルム４０に超音波振動を作用させるので、貼付剤シート１０の前記境界部分では、切断装置８Ａ，８Ｂによる貼付剤シート１０の切断とともに、剥離フィルム４０が支持基材２０に溶着して剥離フィルム４０及び支持基材２０の接合が行われる。そのため、切断後の貼付剤１においては、支持基材２及び剥離フィルム４の外周縁が接合されているので、その後のライン搬送時に水性ゲル３が貼付剤１の外周縁から漏れ出すことを防止することができる。
【００４７】  また、本実施形態の貼付剤の製造方法によると、貼付剤シート１０の切断時に、超音波振動装置９Ａ，９Ｂのホーン９０，９１を貼付剤シート１に当接させ、切断装置８Ａ，８Ｂの回転刃８０及び切断刃８１の刃先をホーン９０，９１に押し当てて当接面９０Ａ，９１Ａ上で貼付剤シート１０を切断するので、貼付剤シート１０の切断のために切断装置８Ａ，８Ｂの回転刃８０及び切断刃８１の刃先を押し当てるための当て板を不要とすることができる。
【００４８】  また、本実施形態の貼付剤の製造方法によると、水性ゲル３の厚みが大きかったり及び／又は水性ゲル３の水分含有量が多くて流動性が高くても、水性ゲル３が貼付剤１の外周縁から漏れ出さない。そのため、上述した貼付剤シート１０の切断工程後の水性ゲル３を固めるための処理工程の処理時間を短縮する又はこの処理工程を不要とすることができるので、工程時間の短縮によって貼付剤１の製造効率を向上させることができる。
【００４９】  以上、本発明の実施形態について説明したが、本発明は上記実施形態に限定されるものではなく、本発明の趣旨を逸脱しない限りにおいて種々の変更が可能である。
【００５０】  例えば、上記実施形態において、切断工程では、貼付剤シート１０に対して支持基材２０側に切断装置８Ａ，８Ｂを、剥離フィルム４０側に超音波振動装置９Ａ，９Ｂを配置することで、貼付剤シート１０を境界部分（切断ラインＬ１，Ｌ２）で切断しながら当該境界部分で支持基材２０及び剥離フィルム４０を接合しているが、必ずしも切断とともに接合まで行う必要はなく、貼付剤シート１０に対して支持基材２０側に超音波振動装置９Ａ，９Ｂを、剥離フィルム４０側に切断装置８Ａ，８Ｂを配置してもよい。
【００５１】  また、上記実施形態において、貼付剤シート１０は、長手方向及び幅方向のいずれの方向にも貼付剤１が複数連続する大きさのものであるが、長手方向のみに貼付剤１が複数連続する大きさのものであってもよい。
【００５２】  また、上記実施形態において、貼付剤１は、平面視長方形状であるが、正方形状や略楕円形状等、その他の形状とすることができる。
【００５３】  また、上記実施形態において、貼付剤１は、支持基材２、水性ゲル３及び剥離フィルム４の三層構造であるが、その他の層を有していてもよい。
【００５４】  また、長尺の支持基材２０の一方面に水性ゲル３を塗布する塗布装置６や、長尺の支持基材２０及び剥離フィルム４０を貼り合わせる貼合装置７、貼付剤シート１０を切断する切断装置８Ａ，８Ｂは、必ずしも上記実施形態の装置に限定されるわけではなく、その他の公知の装置を用いることができる。
【符号の説明】
【００５５】  １    貼付剤  ２    支持基材  ３    水性ゲル  ４    剥離フィルム  ８    切断装置  ９    超音波振動装置  １０  貼付剤シート  １１  基材供給ロール  １５  フィルム供給ロール  ２０  長尺の支持基材  ４０  長尺の剥離フィルム  ９０，９１  ホーン 
【図１】
2019230926.tif 000003
【図２】
2019230926.tif 000004
【図３】
2019230926.tif 000005
【図４】
2019230926.tif 000006
【図５】
2019230926.tif 000007
【図６】
2019230926.tif 000008
【図７】
2019230926.tif 000009
【国際調査報告】
2019230926.tif 000010
2019230926.tif 000011